【手続補正書】
【提出日】平成21年6月12日(2009.6.12)
【手続補正１】
【補正対象書類名】特許請求の範囲
【補正対象項目名】全文
【補正方法】変更
【補正の内容】
【特許請求の範囲】
【請求項１】
胸骨の部分を確保するための胸骨再構成システムであって、
第１の熔融端部取付け用部材、及び、第２の熔融端部取付け用部材を有するフレキシブルケーブルと、
長手方向軸線、垂直断面軸線、及び、外面を有する平行形取付け用部品とを備え、前記平行形取付け用部品は、前記平行形取付け用部品に形成された２つの平行な通路を有し、前記通路は、前記長手方向軸線に平行に延び、かつ、中に前記熔融された第１の端部を通すことができるような寸法に形成されており、
前記胸骨再構成システムは、さらに、
前記フレキシブルケーブルの第１の端部を受入れることができるような寸法に形成された内部穴を有するフェルールを備え、
前記フレキシブルケーブルの第２の端部は、前記フレキシブルケーブルの第２の端部の上に前記平行形取付け用部品を圧着することによって前記平行形取付け用部品に取り付けられている、
ことを特徴とする胸骨再構成システム。
【請求項２】
前記第２の熔融端部取付け用部材は、上面及び下面を有して予め取り付けられた円筒状端部取付け具を備え、前記第２の熔融端部取付け用部材は、約１ｍｍから約５ｍｍの直径を有し、かつ、約５ｍｍから約２０ｍｍの長さを有することを特徴とする、請求項１に記載の胸骨再構成システム。
【請求項３】
前記熔融端部取付け用部材は、チタン、チタン合金、ステンレス鋼及び吸収性材料からなるグループから選定された材料から構成されることを特徴とする、請求項２に記載の胸骨再構成システム。
【請求項４】
前記熔融端部取付け用部材の上面は、丸みの付けられた縁を有することを特徴とする、請求項２に記載の胸骨再構成システム。
【請求項５】
前記熔融端部取付け用部材の下面は平らであることを特徴とする、請求項２に記載の胸骨再構成システム。
【請求項６】
前記熔融端部取付け用部材の下面は、前記平行形取付け用部品の端面と適合するように設計されていることを特徴とする、請求項５に記載の胸骨再構成システム。
【請求項７】
胸骨の部分を確保するための胸骨再構成システムであって、
第１の熔融端部取付け用部材、及び、第２の熔融端部取付け用部材を有するフレキシブルケーブルと、
長手方向軸線、垂直断面軸線、及び、外面を有する平行形取付け用部品とを備え、前記平行形取付け用部品は、前記平行形取付け用部品に形成された２つの平行な通路を有し、前記通路は、前記長手方向軸線に平行に延び、かつ、中に前記熔融された第１の端部を通すことができるような寸法に形成されており、
前記胸骨再構成システムは、さらに、
前記フレキシブルケーブルの第１の端部を受入れることができるような寸法に形成された内部穴を有するフェルールを備え、
前記平行形取付け用部品が、第１の端部及び第２の端部を有し、かつ、潰された円筒状である、
ことを特徴とする胸骨再構成システム。
【請求項８】
前記平行形取付け用部品の第１の端部及び第２の端部は、互いに平行であることを特徴とする、請求項７に記載の胸骨再構成システム。
【請求項９】
前記平行形取付け用部品を通る２個の隣接した平行通路を提供するように、前記平行形取付け用部品の少なくも一方の側面は、前記長手方向軸線に沿って圧着されることを特徴とする、請求項７に記載の胸骨再構成システム。
【請求項１０】
前記平行形取付け用部品は、長さが約３ｍｍから約１５ｍｍであり、前記長手方向軸線は約３ｍｍから約８ｍｍであり、前記断面軸線は約１ｍｍから約５ｍｍであることを特徴とする、請求項７に記載の胸骨再構成システム。
【請求項１１】
前記平行形取付け用部品を通る２個の隣接し、かつ、同じ開口を有し、同じ断面を有する平行通路を提供するように、前記平行形取付け用部品の両側は、前記長手方向軸線の長さに沿って圧着されることを特徴とする、請求項９に記載の胸骨再構成システム。
【請求項１２】
各々の通路が約０．７ｍｍから約２．５ｍｍの直径を有することを特徴とする、請求項９に記載の胸骨再構成システム。
【請求項１３】
前記平行形取付け用部品は、チタン、チタン合金、ステンレス鋼、及び、吸収性材料からなるグループから選定された材料から構成されることを特徴とする、請求項７に記載の胸骨再構成システム。
【請求項１４】
少なくも１個のカニューレ状ねじを更に備えることを特徴とする、請求項１に記載の胸骨再構成システム。
【請求項１５】
前記少なくも１個のカニューレ状ねじは、止めねじ、及び、非止めねじからなるグループから選定されることを特徴とする、請求項１４に記載の胸骨再構成システム。
【請求項１６】
前記少なくも１個のカニューレ状ねじは、骨への取り付けのために、少なくも部分的にねじが形成されることを特徴とする、請求項１４に記載の胸骨再構成システム。
【請求項１７】
前記少なくも１個のカニューレ状ねじは、チタン、チタン合金、ステンレス鋼、及び、吸収性材料からなるグループから選定された材料から構成されることを特徴とする、請求項１４に記載の胸骨再構成システム。
【請求項１８】
前記少なくも１個のカニューレ状ねじは、中空開口を有する頭を備え、前記中空開口は前記熔融端部取付け用部材を受け入れるような寸法及び形状に構成されることを特徴とする、請求項１４に記載の胸骨再構成システム。
【請求項１９】
胸骨を再構成する方法であって、
第１の熔融端部取付け用部材、及び、第２の熔融端部取付け用部材を有するフレキシブルケーブルと、長手方向軸線、垂直断面軸線、及び、外面を有する平行形取付け用部品とを準備する段階を含み、前記平行形取付け用部品は、前記平行形取付け用部品に形成された２つの平行な通路を有し、前記通路は、前記長手方向軸線に平行に延びており、
前記方法は、さらに、
前記フレキシブルケーブルの第１の熔融端部を前記平行形取付け用部品の第１の通路に通す段階と、
前記フレキシブルケーブルを胸骨のまわりに巻く段階と、
前記フレキシブルケーブルの第１の熔融端部を前記平行形取付け用部品の第２の通路を通してフレキシブルケーブルを通過させる段階と、
前記フレキシブルケーブルを希望の張力に張る段階と、
前記張られたケーブルを固定する段階とを含み、
前記フレキシブルケーブルの第２の端部は、前記フレキシブルケーブルの第２の端部の上に前記平行形取付け用部品を圧着することによって前記平行形取付け用部品に取り付けられている、
ことを特徴とする方法。
【請求項２０】
前記張られたケーブルが、前記フレキシブルケーブル上へのフェルールの圧着により固定されることを特徴とする、請求項１９に記載の方法。
【請求項２１】
前記フレキシブルケーブル上へのフェルールの圧着中の前記フレキシブルケーブルの切断を容易にするために、前記フェルールの内径が鋭い縁を構成することを特徴とする、請求項２０に記載の方法。
【請求項２２】
前記張られたケーブルは、前記フレキシブルケーブル上へのフェルールの圧着により固定され、前記フェルールは前記平行形取付け用部品の一方の端部に置かれ、前記熔融端部取付け用部材は前記平行形取付け用部品の他方の端部に置かれることを特徴とする、請求項２０に記載の方法。
【請求項２３】
胸骨再構成キットであって、
第１の熔融端部取付け用部材、及び、第２の熔融端部取付け用部材を有する、少なくも１本のフレキシブルケーブルと、
長手方向軸線、垂直断面軸線、及び、外面を有する、少なくも１個の平行形取付け用部品とを備え、前記平行形取付け用部品は、前記平行形取付け用部品に形成された２つの平行な通路を有し、前記通路は、前記長手方向軸線に平行に延び、かつ、中に前記熔融された第１の端部を通すことができるような寸法に形成されており、
前記胸骨再構成キットは、さらに、
前記フレキシブルケーブルの第１の端部を受入れることができるような寸法に形成された内部穴を有する、少なくも１個のフェルールを備え、
前記フレキシブルケーブルの第２の端部は、前記フレキシブルケーブルの第２の端部の上に前記平行形取付け用部品を圧着することによって前記平行形取付け用部品に取り付けられている、
ことを特徴とする、胸骨再構成キット。
【請求項２４】
前記少なくも１本のフレキシブルケーブルは縫合材に取り付けられることを特徴とする、請求項２３に記載の胸骨再構成キット。
【請求項２５】
前記フレキシブルケーブル上へのフェルールの圧着中のフレキシブルケーブルの切断を容易にするために、少なくも１個のフェルールの内径が鋭い縁を構成することを特徴とする、請求項２３に記載の胸骨再構成キット。
【請求項２６】
さらに、少なくも１個のカニューレ状ねじを備え、前記フレキシブルケーブルの第１の端部は熔融端部取付け用部材を備え、かつ、前記平行形取付け用部品の端部の面と適合するように設計されることを特徴とする、請求項２３に記載の胸骨再構成キット。
【請求項２７】
少なくも１本のフレキシブルケーブルは縫合材に取り付けられることを特徴とする、請求項２６に記載の胸骨再構成キット。
【請求項２８】
前記フレキシブルケーブル上へのフェルールの圧着中のフレキシブルケーブルの切断を容易にするために、少なくも１個のフェルールの内径が鋭い縁を構成することを特徴とする、請求項２６に記載の胸骨再構成キット。